(57)【要約】【課題】車椅子を簡単に出し入れできる浴槽を提供する。【解決手段】底部１１と、この底部１１の外周側から上方に延びる側部１２と、からなるバスタブ１０を備える。側部１２の一部分に上側が解放された開口２６が設けられ、開口２６には、開口２６を開閉する開閉蓋２７、及び開閉蓋２７の内側に位置し両端がバスタブ１０に気密に取り付けられた内蓋３１が設けられ、内蓋３１は、開口２６を閉塞する位置から開口２６を解放する位置まで変位自在である。【選択図】図１
2009095591.tif 000002
【特許請求の範囲】
【請求項１】
底部と、前記底部の外周側から上方に延びる側部と、からなる浴槽本体を備える浴槽であって、
前記側部の一部分に上側が解放された開口が設けられ、
前記開口には、前記開口を開閉する開閉蓋、及び前記開閉蓋の内側に位置し両端が前記浴槽本体に気密に取り付けられた内蓋が設けられ、
前記内蓋は、前記開口を閉塞する位置から前記開口を解放する位置まで変位自在である浴槽。
【請求項２】
前記開口の下端縁は前記床部の上面と面一に形成され、前記内蓋は前記床部に当接するまで変位自在である請求項１に記載の浴槽。
【請求項３】
前記内蓋は、前記浴槽本体の内面を覆う袋状部材の一部分を形成し、前記袋状部材は前記浴槽本体に対して着脱自在である請求項１または２に記載の浴槽。
【請求項４】
前記開閉蓋は、上下方向に折り畳み自在である請求項１から３の何れか１項に記載の浴槽。
【請求項５】
前記浴槽本体内の水を供給及び排水する給排水手段と、
前記浴槽本体内の水を貯水する貯水手段と、
を更に備える請求項１から４の何れか１項に記載の浴槽。
【請求項６】
前記浴槽本体内の水を滅菌する滅菌手段、
を更に備える請求項１から５の何れか１項に記載の浴槽。
【請求項７】
前記内蓋は、シートである請求項１から６の何れか１項に記載の浴槽。
【発明の詳細な説明】
【技術分野】
【０００１】
本発明は、例えば車椅子を簡単に出し入れできる浴槽に関する。
【背景技術】
【０００２】
従来の浴槽は、底部と、底部の外周縁から上方に延びる側部とを有し、浴槽に出入りする際には、側部を跨いでいた。しかし、この浴槽は、車椅子で出入りすることができなかった。そこで、従来から車椅子用の浴槽が提案されている（例えば、特許文献１参照。）。特許文献１の浴槽は、四角形の底板と、その四辺に着脱自在に設けられた４個の側板とを有している。そして、車椅子を浴槽内に出し入れする際には、側板の何れか１枚を脱着する。
【特許文献１】特開２００７−２２２５９５号公報
【発明の開示】
【発明が解決しようとする課題】
【０００３】
しかしながら、従来の特許文献１の浴槽は、車椅子を出し入れする際に、いちいち側板を脱着しなければならず、手間がかかるという問題があった。
【０００４】
本発明の目的は、車椅子などを簡単に出し入れできる浴槽を提供することにある。
【課題を解決するための手段】
【０００５】
本発明は前記課題を解決するために、以下の手段を採用した。
すなわち、本発明は、
底部と、前記底部の外周側から上方に延びる側部と、からなる浴槽本体を備える浴槽であって、
前記側部の一部に上側が解放された開口が設けられ、
前記開口には、前記開口を開閉する開閉蓋と、前記開閉蓋の内側に位置し両端が前記浴槽本体に気密に取り付けられた内蓋が設けられ、
前記内蓋は、前記開口を閉塞する位置から前記開口を解放する位置まで変位自在である浴槽。
【０００６】
本発明によれば、入浴時には、開閉蓋によって浴槽本体の開口を閉鎖し、内蓋を開口の閉塞位置に配置し、浴槽内に水を貯める。例えば車椅子が浴槽本体内に出入りする際には、開閉蓋を開けると共に、開口を開放する位置に内蓋を配置する。これにより、側板の上縁を跨ぐことなく浴槽本体に出入りできるので、車椅子でも簡単に出入りできる。
【０００７】
ここで、前記開口の下端縁は前記床部の上面と面一に形成され、前記内蓋は前記底部に当接するまで変位自在である構成にできる。この構成により、車椅子の出し入れが更に容易になる。
【０００８】
また、前記内蓋は、シートによって構成できる。この構成により、内蓋の構成を簡略化できる。また、前記開閉蓋は、上下方向に折り畳み自在に構成できる。この構成により、開閉蓋の開閉操作が容易になる。
【０００９】
また、前記内蓋は、前記浴槽本体の内面を覆う袋状部材の一部分を形成し、前記袋状部材は前記浴槽本体に対して着脱自在である構成にできる。この構成により、袋状部材の取り付けが容易になる。
【００１０】
また、前記浴槽本体内の水を給水及び排水する給排水手段と、前記浴槽本体内の水を貯水する貯水手段と、を更に備える構成にできる。この構成により、浴槽本体内の水を繰り返し使用できるので経費節減を図ることができる。
【００１１】
また、前記浴槽本体内の水を滅菌する滅菌手段を備える構成にできる。この構成により、浴槽本体内の水を清潔に保持できる。
【発明の効果】
【００１２】
本発明によれば、開閉蓋及び内蓋を開けることにより、浴槽本体内に車椅子などを簡単に出し入れできる。
【発明を実施するための最良の形態】
【００１３】
以下、図面を参照して本発明を実施するための最良の形態（以下、実施形態という）に係る浴槽について説明する。以下の実施形態の構成は例示であり、本発明は実施形態の構成に限定されない。
【００１４】
図１は、本発明に係る浴槽１を示す。この浴槽１は、略四角形の底部１１と、底部１１の外周側から立ち上がる側部１２と、を有する浴槽本体（以下、バスタブと呼ぶ。）１０を備えている。側部１２の上端部には、湾曲部１２ａが設けられている。このバスタブ１０における底部１１の略中央には、バスタブ１０内の水を排出する排水口１３が設けられている。この排水口１３には、水栓５０を取り付けるネジが設けられている。更に、底部１１の角における外側には、脚部１４が設けられている。
【００１５】
底部１１の排水口１３には、図２に示すように、配管１５を介して、濾過フィルタ１６、第１の電動三方弁１７，ポンプ１８、オゾン滅菌装置１９、第２の電動三方弁２０がこの順に接続されている。第１の電動三方弁１７の３個の接続口１７ａ，１７ｂ，１７ｃは、それぞれポンプ１８、貯水タンク２１の下部から延びる配管４０、濾過フィルタ１６に接続されている。また、第２の電動三方弁２０の３個の接続口２０ａ，２０ｂ，２０ｃは、それぞれバスタブ１０の上部側に延びる配管２２、貯水タンク２１の上部から延びる配管２３、オゾン滅菌装置１９に接続されている。貯水タンク２１には、貯水タンク２０内の水を加熱するためのボイラー２４が設けられている。バスタブ１０の下には、例えばナガセルフ（登録商標）のような水はけのよい床部材３９（図１参照）が敷かれている。
【００１６】
なお、図２中の二点差線４５は、浴槽本体１０の排水口１３から貯水タンク２１の上部側へ水が流れる方向、一点鎖線４６は貯水タンク２１の下部側から浴槽本体１０の上部側へ水が流れる方向を示す。
【００１７】
図１に示すように、バスタブ１０における側部１２の長辺は、底部１１から略垂直に延び、短辺はバスタブ１０の内部空間が上広がりとなる方向に傾斜している。側部１２の上部側には、側部１２の長手方向に沿って手摺り２５，２５が設けられている。
【００１８】
また、側部１２の一部、本実施形態では底部１１の短辺側には、図３に示すように、上側が解放された開口２６が設けられている。本実施形態では、開口２６の下端縁２６ａが底部１１の上面と面一になるように形成されている。開口２６には、開口２６を開閉する開閉蓋２７が設けられている。この開閉蓋２７の下端部は、底部１１にヒンジ２８で回転自在に接続されている。
【００１９】
また、開閉蓋２７は、図４に示すように、上半部２７ａと下半部２７ｂとに二分割されている。上半部２７ａと下半部２７ｂはヒンジ２９によって接続され、上下方向に折り畳み自在に構成されている。この開閉蓋２７は、上側に延ばされた状態でバスタブ１０の側
部１２における開口２６側の端部に当接し、ロック手段３０によってロックされる。これにより、開口２６が開閉蓋２７によって閉鎖される。
【００２０】
開口２６が開閉蓋２７によって閉鎖された状態から、図５に示すように、開閉蓋２７の上半部２７ａがヒンジ２９を中心としてバスタブ１０の反対方向に略１８０°回転すると、図６に示すように、上半部２７ａが下半部２７ｂに当接して開閉蓋２７が半開き状態となる。更に、開閉蓋２７の下半部２７ｂが、ヒンジ２８を中心としてバスタブ１０の反対方向に略９０°回転すると、図３に示すように、開口２６が完全に解放される。
【００２１】
開閉蓋２７の内側には、図１に示すように、内蓋３１が配置されている。この内蓋３１は、図７に示すように、袋状部３５の一部を形成している。この袋状部３５は、バスタブ１０の内面に沿って着脱自在に形成されている。袋状部３５は、バスタブ１０の底部１１（図１参照）における内面に沿って配置される底面部３６と、バスタブ１０の側部１２における内面に沿って配置される側面部３７と、上記内蓋３１とを有している。袋状部３５の側面部３７の上端部には、バスタブ１０の側部１２における湾曲部１２ａに引っ掛ける引掛部３７ａが設けられている。なお、袋状部３５とバスタブ１０との間にマジックテープ（登録商標）等の面ファスナーなど、適宜な留め具（図示せず）を設けることにより、袋状部３５をバスタブ１０に確実に仮止めできる。
【００２２】
袋状部３５の底面部３６には、排水口３６ａが設けられている。この排水口３６ａは、バスタブ１０における底部１１の排水口１３に整合位置される。排水口１３には、袋状部３５の底面部３６の上から水栓５０が取り付けられる。これにより、排水口１３から袋状部３５内の水が漏れるのを防止できる。
【００２３】
内蓋３１は、図７に示すように、袋状部３５の底面部３６に接続された四角形部３２と、この四角形部３２と袋状部３５の側面部３７との間に設けられた第１の三角形部３３、及び第２の三角形部３４とを有している。本実施形態では、袋状部３５は、樹脂製のシートで折り曲げ自在に形成されている。なお、図７中の符号３８は、折り線である。
【００２４】
この袋状部３５をバスタブ１０の内側に配置する場合は、図１に示すように、袋状部３５をバスタブ１０内に挿入し、底面部３６をバスタブ１０の底部１１における内面に沿って配置し、側面部３７をバスタブ１０の側部１２における内面に沿って配置する。そして、側面部３７の引掛部３７ａをバスタブ１０における側部１２の湾曲部１２ａに引っ掛ける。これにより、袋状部３５は、バスタブ１０の内面に沿って配置される。
【００２５】
袋状部３５は、図８にも示すように、バスタブ１０の底部１１及び側部１２の内面に沿って配置されている。内蓋３１は、バスタブ１０の開口２６を塞ぐように。この内蓋３１の四角形部３２は、図９に示すように、開口２６を解放する位置、本実施形態ではバスタブ１０の底部１１に当接する位置から、開口２６を閉塞する位置を経て、バスタブ１０の外側で底部１１と面一となる位置まで変位自在である。
【００２６】
図８に示すように、バスタブ１０の開閉蓋２７を閉じた状態で、内蓋３１の四角形部３２を開閉蓋２７の内面に当接するまで立ち上げることにより、バスタブ１０の内部空間が袋状部３５によって覆われるので、バスタブ１０内に水を貯めることができる。
【００２７】
また、バスタブ１０内に例えば車椅子を出し入れするときは、図９に示すように、開閉蓋２７を解放する。次に、内蓋３１の四角形部３２をバスタブ１０の内側又は外側に、バスタブ１０の床部と面一になるまで開く。これにより、車椅子を吊り上げたりすることなく、バスタブ１０内に簡単に出し入れできる。
【００２８】
このように、浴槽１によれば、バスタブ１０の側部１２に開口２６を設け、開口２６の下端縁２６ａを底部１１と面一にすると共に、開口２６に開閉蓋２７、及び開口２６を開閉する位置まで変位自在な内蓋３１を設けたので、開閉蓋２７及び内蓋３１を開けることにより、側部１２を跨ぐことなくバスタブ１０内に出入りできる。また、車椅子などをバスタブ１０内に簡単に出し入れできる。車椅子などがバスタブ１０内に入った後、開閉蓋２７を閉め、内蓋３１の四角形部３２を開閉蓋２７側に立ち上げるか、或いは底部１１側に倒してバスタブ１０内に水や温水を貯めることができる。四角形部３２を、底部１１側に倒して水を貯める場合は、開閉蓋２７及び開閉蓋２７とバスタブ１０間の気密性を保持できるように構成する。
【００２９】
また、バスタブ１０に貯水タンク２１及びポンプ１８を接続したので、バスタブ１０内の水を循環して使用でき、コスト低減ができる。また、水を循環使用する場合には、オゾン滅菌装置１９によって水を滅菌できるので、清潔性を保持できる。なお、オゾン滅菌装置に代えて例えば銅など各種の滅菌装置を使用できる。また、貯水タンク２１にボイラー２０を設けたので、バスタブ１０内に人が入るときには、バスタブ１０内の水を適温にすることができる。なお、上記の実施形態では、開口２６をバスタブ１０の短辺側に設けたが、開口２６はバスタブ１０の長辺側に設けることもできる。
【図面の簡単な説明】
【００３０】
【図１】本発明に係る浴槽を示す断面図である。
【図２】本発明に係る浴槽を示す上面図である。
【図３】本発明に係る浴槽本体の開閉蓋を開けた状態を示す斜視図である。
【図４】本発明に係る開閉蓋及び内蓋を閉じた状態を示す斜視図である。
【図５】本発明に係る開閉蓋を開ける方法を示す図である。
【図６】本発明に係る開閉蓋を半開きにした状態を示す斜視図である。
【図７】本発明に係る内蓋及び袋状部を示す斜視図である。
【図８】本発明に係る開閉蓋及び内蓋を閉めた状態を示す図であり、図４のＡ−Ａ断面図である。
【図９】本発明に係る内蓋の変位量を示す断面図である。
【符号の説明】
【００３１】
１  浴槽
１０  バスタブ（浴槽本体）
１１  底部
１２  側部
１２ａ  湾曲部
１３  排水口
１４  脚部
１５  配管
１６  濾過フィルタ
１７  電動三方弁
１７ａ，１７ｂ  出口
１８  ポンプ
１９  オゾン滅菌装置
２０  ボイラー
２０  貯水タンク
２０  電動三方弁
２０ａ，２０ｂ  出口
２１  貯水タンク
２２  配管
２３  配管
２４  ボイラー
２５，  手摺り
２６  開口
２６ａ  下端縁
２７  開口
２７  開閉蓋
２７ａ  上半部
２７ｂ  下半部
２８  ヒンジ
２９  ヒンジ
３０  ロック手段
３１  内蓋
３２  四角形部
３３  三角形部
３４  三角形部
３５  袋状部
３６  底面部
３６ａ  排水口
３７  側面部
３７ａ  引掛部
３８  折り線
３９  床部材
４０  配管
４５  浴槽本体から貯水タンクへの水の流れ方向
４６  貯水タンクから浴槽本体への水の流れ方向
５０  水栓
【図１】
2009095591.tif 000003
【図２】
2009095591.tif 000004
【図３】
2009095591.tif 000005
【図４】
2009095591.tif 000006
【図５】
2009095591.tif 000007
【図６】
2009095591.tif 000008
【図７】
2009095591.tif 000009
【図８】
2009095591.tif 000010
【図９】
2009095591.tif 000011